(57)【要約】  本発明は、発信者が音声呼またはデータ呼を試みる時、着信者（又はコンテンツ提供者）が予め登録したコンテンツのメニューリスト及び発／着信者情報をページングチャンネルを通して発信者端末機に伝送し、発信者端末機上に保存されている応用プログラム上で上記メニューリストと発／着信者情報に基づいてサービスオプション処理及びメニュー出力をした後、発信者のメニュー利用要請に応じて、発信者が選択したメニューの固有番号、コンテンツタイプ、及び発／着信者情報を組み合わせて流動ＵＲＬを発信者端末機の応用プログラムで自己生成することで、無線インターネットに接続してコンテンツを利用できるようにするデータ通信システム及び方法に関するものである。
2009527177.tif 000002
【特許請求の範囲】
【請求項１】
インターネットを介してコンテンツサーバー及びサービスサーバーに連結されている移動通信網から発信者に対してコンテンツ伝送サービスを提供するデータ通信方法において、
着信者が上記サービスの提供登録を要請し、着信者が発信者に提供するコンテンツに関するメニューリストを、上記コンテンツサーバーに登録し保存する段階；
発信者が着信者に音声呼を発信すると、発信者端末機が上記サービスを利用できるかどうか、及び着信者が上記サービスの提供登録をしたかどうかを、上記移動通信網内の移動交換機にて判別する段階；
上記の判別結果、発信者が上記サービスを利用でき、着信者がサービスの提供登録をすることができる場合、上記移動交換機が発／着信者情報を上記サービスサーバーに提供する段階；
上記サービスサーバーが、発信者に提供するべきメニューリストを、上記発／着信者情報とともに発信者に伝送する段階；
上記メニューリストと発／着信者情報の提供を受けて発信者端末機の応用プログラムが自動駆動され、発信者に対してメニューを出力しメニューリストに登録されたサービスオプション処理をする段階；
発信者が上記出力されたメニューのうち任意のメニューを選択し、上記コンテンツサーバーに要請する段階；及び
上記コンテンツサーバーが上記要請を受けたメニューに対するコンテンツを発信者に伝送する段階；を含むことを特徴とするデータ通信方法。
【請求項２】
インターネットを介してコンテンツサーバーに連結されている移動通信網から発信者に対してコンテンツ伝送サービスを提供するデータ通信方法において、
着信者が上記サービスの提供登録を要請し、着信者が発信者に提供するコンテンツに関するメニューリストを、上記コンテンツサーバーに登録し保存する段階；
発信者が着信者にデータ呼を発信し、上記コンテンツサーバーに対してサービス要請をする段階；
上記コンテンツサーバーが、発信者端末機が上記サービスを利用できるかどうかを判断する段階；
上記コンテンツサーバーが、上記サービスが利用可能な発信者に提供するべきメニューリストを、上記サーバーに登録された発／着信者情報とともに発信者に伝送する段階；
上記メニューリストと発／着信者情報の提供を受けて発信者端末機の応用プログラムが自動駆動され、発信者に対してメニューを出力しメニューリストに登録されたサービスオプション処理をする段階；
発信者が上記出力されたメニューのうち任意のメニューを選択し、上記コンテンツサーバーに要請する段階；及び
上記コンテンツサーバーが上記要請を受けたメニューに対するコンテンツを発信者に伝送する段階；を含むことを特徴とするデータ通信方法。
【請求項３】
上記メニューリストは、着信者が発信者に提供するコンテンツメニューの固有番号及びコンテンツタイプ、及び上記サービスに対するオプション処理事項を含むことを特徴とする請求項１又は２に記載のデータ通信方法。
【請求項４】
上記発／着信者情報は、移動通信網から提供される発信者の電話番号及び位置、着信者の電話番号及び着信状態を含み、又は上記発／着信者情報は、発／着信者がコンテンツサーバーに登録した発／着信者の電話番号と人口統計学的情報を含むことを特徴とする請求項１又は２に記載のデータ通信方法。
【請求項５】
上記の、発信者がメニューを選択し、コンテンツサーバーに要請する段階は：
発信者がメニューリストのうち任意のメニューを選ぶと、この選ばれたメニューの固有番号、コンテンツタイプ、及び発／着信者情報を組み合わせて、上記発信者端末機内で流動ＵＲＬを生成する段階；及び
生成されたＵＲＬを上記コンテンツサーバーに伝送して上記ＵＲＬに対応するコンテンツを要請する段階；を含むことを特徴とする請求項１又は２に記載のデータ通信方法。
【請求項６】
上記流動ＵＲＬは、発／着信者の電話番号、発信者の位置情報、及び人口統計学的情報を含むことを特徴とする請求項５に記載の方法。
【請求項７】
上記の、メニューリスト及び発／着信者情報を発信者に伝送する段階以後に、
発信者端末機内で上記メニューリスト及び発／着信者情報に基づいて特定メニューに対する流動ＵＲＬを自動生成し、これを上記コンテンツサーバーに伝送する段階；
上記ＵＲＬに対応するコンテンツを上記コンテンツサーバーから発信者端末機に伝送する段階；及び
上記伝送されたコンテンツを発信者端末機で特定の時間帯に自動出力する段階；を含むことを特徴とする請求項１又は２に記載のデータ通信方法。
【請求項８】
インターネットを介してコンテンツサーバー及びサービスサーバーに連結されている移動通信網から発信者に対してコンテンツ伝送サービスを提供するデータ通信システムにおいて、
上記コンテンツサーバーは：
着信者のサービス提供登録を管理する加入者情報Ｄ／Ｂ；
加入者が発信者に提供するメニューの固有番号及びコンテンツタイプ、サービスオプション処理事項を登録及び保存するメニューリストＤ／Ｂ；
上記メニューに該当するコンテンツを登録及び保存するコンテンツＤ／Ｂ；
発信者の要請に応じて、上記コンテンツＤ／Ｂに保存されているコンテンツを発信者に伝送するデータ送受信部；
上記データ送受信部を介して発信者より提供された流動ＵＲＬを解析するＵＲＬ解析部；及び
インターネットとインターフェーシングするためのインターフェース処理部；を含み、
上記サービスサーバーは：
上記コンテンツサーバーから伝送されたメニューリストを保存しているメニューリストＤ／Ｂ；及び
上記メニューリストＤ／Ｂに保存されているメニューリスト、及び上記移動通信網から提供された発／着信者情報を発信者端末機に伝送するメッセージ伝送部；を含み、
上記発信者端末機は、上記サービスサーバーから情報の伝送を受けて画面にメニューを出力し、発信者によるメニューの入力に従ってそれに対応する流動ＵＲＬを生成して上記コンテンツサーバーに伝送するようにする応用プログラムを含んでなることを特徴とするデータ通信システム。
【発明の詳細な説明】
【技術分野】
【０００１】
移動通信サービス及びインターネットサービスの発展に伴い、端末機を用いて無線でインターネットに接続し、何時でも何処でもインターネットを利用できるようになった。
【背景技術】
【０００２】
無線インターネット利用者が端末機を介して無線インターネットに接続する方式は、次の通りである。移動通信社より提供されるコンテンツポータルサイトに接続して、登録されたコンテンツを利用する方式、コンテンツ提供者の短縮番号及び特定キーを用いて上記コンテンツ提供者の携帯ホームページに接続する方式、コンテンツ提供者が伝送したＳＭＳメッセージを通してメッセージに含まれているＵＲＬアドレスに接続する方式である。これら方式の共通点は、利用者が無線インターネットコンテンツの利用を選択する瞬間、データチャンネルが割り当てられ無線インターネットコンテンツに接続されるため、データ通信料が発生するということである。データチャンネルが割り当てられ、利用者が無線インターネットコンテンツを照会する場合、利用者の必要とするコンテンツが存在しなくて無線インターネットを終了しても、データ通信料は発生することになる。このような状況は、データ通信の活性化に大きな障害となっている。
【０００３】
また、これら方式では、コンテンツ提供者が提供するそれぞれのコンテンツメニューにＵＲＬをマッピング（mapping）させて、利用者が特定メニューを要請する場合に、上記ＵＲＬを通してコンテンツ提供者のサーバーと該当コンテンツページに接続するようになる。上記コンテンツメニューと共に伝送されるＵＲＬは無線インターネットコンテンツの容量増加の主原因となり、これによってデータ伝送時間が長くなり、利用者のデータ通信にかかる課金も伴って増加するようになる。これを解決するために、自体的に定義した短縮コード方式を用いてＵＲＬのデータ容量を減らす方式が提示されているが、上記短縮コード方式は、無線インターネットに接続する段階で制限的に使用されており、無線インターネットに接続して下位のコンテンツページを利用する場合は、全てのメニューにＵＲＬが既存と同様にマッピングされているため、既存ＵＲＬ方式と同様の問題点を抱えている。
【発明の開示】
【発明が解決しようとする課題】
【０００４】
本発明は、上述の問題点を解消するために案出されたもので、発信者が音声呼又はデータ呼を試みる際、着信者（またはコンテンツ提供者）が登録したコンテンツのメニューリストと発／着信者情報を、移動交換網のページングチャンネルを通して発信者端末機に伝送し、発信者端末機上の応用プログラムから上記メニューリストと発／着信者情報を基準にメニューを出力することによって、移動通信社は発信者のメニュー照会時にデータチャンネルを発信者に持続的に割り当てて資源を浪費する必要がなくなり、発信利用者はデータ通信料を支払わずにコンテンツ提供者の初期メニューを照会することができる。また、本発明は、コンテンツの利用経路（Depth）を一段階減らすことによって発信利用者の便宜を増大でき、発信者端末機上の応用プログラム上にて発／着信者情報を組み合わせて流動ＵＲＬを自己生成することにより、下位コンテンツページのメニューにＵＲＬをマッピングさせる必要がなくなる。よって、画面の容量が減少することから、データ伝送にかかる時間及び利用料が節減される。
【０００５】
また、着信コンテンツ提供者は、発信者の類型別にコンテンツ及び広告ページを製作し、発信者の類型によってそれに該当するコンテンツを提供することができ、発信利用者は着信者により提供されるオーダーメイド型情報を通して無線インターネットコンテンツをより迅速かつ便利に利用できるようにすることに、その技術的課題がある。
【課題を解決するための手段】
【０００６】
上記の目的を達成するための本発明は、発信者が音声呼又はデータ呼を試みる際、着信者（またはコンテンツ提供者）が予め登録したコンテンツのメニューリストと発／着信者情報を、ページングチャンネルを通して発信者端末機に伝送し、発信者端末機上に保存されている応用プログラム上で上記メニューリストと発／着信者情報を基準にサービスオプション処理及びメニュー出力をした後、発信者のメニュー利用要請に応じて、発信者が選択したメニューの固有番号、コンテンツタイプ、及び発／着信者情報を組み合わせて流動ＵＲＬを発信者端末機の応用プログラムで自己生成することで、無線インターネットに接続しコンテンツを利用できるようにするデータ通信システムを特徴とする。
【０００７】
着信者（又はコンテンツ提供者）がサービス登録を試みる場合、サービスのためのコンテンツサーバーに接続し、自身の初期コンテンツメニューを選択してメニューリストを構成し保存すると、上記サーバーと連動しており、移動通信網と連結されているサービスサーバーが上記メニューリストを保存するサービス登録処理手段；発信者が呼の発信をする際、発信者及び着信者のサービス加入有無を判断して、発信者及び着信者がサービスに加入している場合、上記サービスサーバーは移動通信網から提供された該当発信者及び着信者の情報を、着信者のコンテンツメニューリストに追加し発信者にページングチャンネルを通して伝送するデータ伝送手段；上記発／着信者情報とコンテンツメニューリストの伝送を受けて、発信者端末機上の応用プログラムが自動駆動され、着信者が指定したサービスオプション機能を行い、上記応用プログラム上に保存されている基本メニューのうち着信者が登録したメニュー固有番号に該当するメニューを発信者端末機上に出力するサービス処理手段；発信者端末機上に出力されたメニューのうち任意のメニューを選択し、これに該当するコンテンツページを要請する場合、上記応用プログラムは、発信者が選択したメニューの固有番号、コンテンツタイプ、及び発／着信者情報を組み合わせて流動ＵＲＬを自己生成し、これを通して発信者が選択したコンテンツページに接続する無線インターネット接続手段；及び、上記コンテンツメニューリストのサービスオプション事項に特定広告のメニューの固有番号を含めて伝送する場合は、発信者が端末機上でメニューを照会する間に、上記広告のメニューの固有番号と発／着信者情報を組み合わせて、上記と同一の方法で広告ページに自動接続した後、発信者が下位コンテンツの伝送を要請して待つデータ伝送待機時間の間に、上記広告ページを発信者端末機に出力し提供する待機画面制御手段；を含むことを特徴とする。
【０００８】
上述の本発明の構成は、発信者が音声呼を通して接続を試みる場合に該当し、発信者がデータ呼を通して接続を試みる場合は、上記サービスサーバーの機能をコンテンツサーバーが代行できる。
【０００９】
上述の目的を達成するための本発明は、発信者が音声呼又はデータ呼を試みる際、着信者（又はコンテンツ提供者）が予め登録したコンテンツのメニューリストと発／着信者情報を、ページングチャンネルを通して発信者端末機に伝送し、発信者端末機上に保存されている応用プログラム上で上記メニューリストと発／着信者情報を基準にサービスオプション処理及びメニュー出力をした後、発信者のメニュー利用要請に応じて、発信者が選択したメニューの固有番号、コンテンツタイプ、及び発／着信者情報を組み合わせて流動ＵＲＬを発信者端末機の応用プログラムで自己生成することで、無線インターネットに接続しコンテンツを利用できるようにするデータ通信システムであることを特徴とする。
【００１０】
本発明は、発信者が音声呼又はデータ呼を試みる際、着信者（又はコンテンツ提供者）が予め登録したコンテンツのメニューリストと発／着信者情報を、ページングチャンネルを通して発信者端末機に伝送し、発信者端末機上に保存されている応用プログラム上で上記メニューリストと発／着信者情報を基準にサービスオプション処理及びメニュー出力をした後、発信者のメニュー利用要請に応じて、発信者が選択したメニューの固有番号、コンテンツタイプ、及び発／着信者情報を組み合わせて流動ＵＲＬを発信者端末機の応用プログラムで自己生成することで、無線インターネットに接続しコンテンツを利用できるようにするデータ通信システム及び方法であって、発信者は着信者が提供するコンテンツのメニューを無課金で照会しながら利用意思を決定し、利用意思のある場合は無線インターネットに接続して細部コンテンツを利用することができ、移動通信社は、発信者のメニュー照会時、データチャンネルを発信者に持続的に割り当てて資源を浪費する必要がなくなる。また、コンテンツ利用経路（Depth）を一段階減らすことによって、発信利用者の便宜を増大でき、発／着信者情報の組み合わせによって流動ＵＲＬを発信者が自己生成することで、発信者は着信者が提供するコンテンツ画面の伝送を迅速に且つより低価格で受けることができる。また、コンテンツ提供者は、発信者の類型によってコンテンツを選択的に提供することで発信者の便宜を増進させることができる。
【００１１】
発信者がコンテンツメニューを照会する間、コンテンツ提供者が登録しておいた特定の情報及び広告の画面に発信者端末機の応用プログラムが自動接続し、待機時間毎に上記画面を活性化させて発信者に提供することによって、初期一回のデータ通信課金で複数回にわたって発信者に広告を提供でき、選定されたターゲットにのみ広告を提供することによって、広告の効率を極大化するばかりか費用も節減できる。
【発明を実施するための最良の形態】
【００１２】
以下、添付図面を参照して本発明の望ましい実施例をより詳しく説明する。
【００１３】
図１は、本発明による移動通信網とサービスサーバー及びコンテンツサーバーとの接続例を示した図である。コンテンツサーバー５００は、発信者のサービス利用のために、移動通信網３００及びインターネット６００を介して発信者無線端末機１００に接続され、着信コンテンツ提供者のサービス登録及びコンテンツメニューの構成のために、移動通信網３００を介して着信者無線端末機２００と接続され、インターネット６００を介してＰＣ７００に接続される。着信者２００は、無線端末機又はＰＣを介してコンテンツサーバー５００から提供されるコンテンツを登録するか、自身が直接製作したコンテンツを登録した後、発信者１００に提供できる。
【００１４】
サービスサーバー４００は、コンテンツサーバー５００に登録された着信加入者２００のコンテンツメニューリストを保存するために、インターネット６００を介してコンテンツサーバー５００と接続され、発／着信者情報を発信者１００に提供するために、移動通信網３００を介して発信者端末機１００及び着信者端末機２００に接続される。
【００１５】
移動通信網３００は、移動交換機とホームロケーションレジスター（ＨＬＲ）、基地局制御機と基地局、パケットデータサービスノード（ＰＤＳＮ）などからなり、本発明では、便宜上これを総称して移動通信網又は移動交換機と称することにする。
【００１６】
図２及び図３は、本発明により、発信者１００が音声呼を試みてサービスを利用する方式についてのフローチャートである。
【００１７】
着信者２００がサービスの提供登録を要請すると、コンテンツサーバー５００はサービスの登録手続きに沿って着信者２００が選択したコンテンツメニューの固有番号、コンテンツタイプ、及びサービスオプションを含んだメニューリストを登録し保存（Ａ２１０）することによって、サービス登録をするようになる。コンテンツサーバー５００は、保存されたメニューリストをサービスサーバー４００に伝送（Ａ２１１）して保存させ、その結果を移動交換機３００に知らせて該当加入者がサービスの提供登録及びメニューリストの保存を終えたことを通知（Ａ２１２）する。
【００１８】
発信者１００が音声呼を発信（Ａ１１０）すると、移動交換機３００は発信者１００の端末機がサービスを利用できるかどうかを確認（Ａ１１１）した後、サービス利用が可能でなければ、音声呼処理を行い（Ａ１１２）、音声チャンネルを割り当て発／着信者間に音声通話（Ａ１１３）がなされるようにする。
【００１９】
発信者１００の端末機がサービスを利用できるなら、着信者２００がサービスの提供登録をしたかどうかを確認（Ａ１２０）するようになる。着信者２００がサービスの提供登録をしなかったなら、音声呼処理を行い（Ａ１１２）、上記と同一の方式で音声チャンネルを割り当て発／着信者間に音声通話（Ａ１１３）がなされるようにする。
【００２０】
発信者１００がサービスを利用でき、着信者２００がサービスを提供できるなら、移動交換機３００はサービスサーバー４００にサービスの要請をすると共に、発／着信者の電話番号（ＭＩＮ）などの付加情報を伝送（Ａ１２１）する。サービスサーバー４００は、着信者２００が登録した発信者類型別メニューリストに上記発信者１００の電話番号（ＭＩＮ）が登録されているかを確認（Ａ１３０）し、登録されていないなら、移動交換機３００に音声呼処理を要請（Ａ１３１）し、音声呼処理（Ａ１３２）を通して音声チャンネルの割り当て及び発／着信者間の音声通話（Ａ１３３）がなされるようにする。発信者１００の電話番号（ＭＩＮ）が着信者２００の発信者類型別メニューリストに登録されているなら、該当発信者１００のメニューリストを照会（Ａ１３４）した後、移動交換機３００から伝送された発／着信者情報と組み合わせて、移動通信網のページングチャンネルを通して発信者１００に伝送（Ａ１３５）する。上記発／着信者情報には、ホームロケーションレジスター（ＨＬＲ）を介して提供される発信者の位置情報や、着信者の電話番号（ＭＩＮ）及び着信状態情報などが含まれ得る。上記ページングチャンネルを通した情報の伝送が完了すれば、同チャンネルを通して伝送完了メッセージがサービスサーバー４００に伝達され、これに従い、サービスサーバー４００は移動交換機３００に音声呼の遮断を要請（Ａ１４０）し、移動交換機３００は発信者１００によって試みられた音声呼を遮断（Ａ１４１）する。
【００２１】
発信者１００の端末機は、移動交換機３００を介して発／着信者情報及びメニューリストの伝送を受け、端末機応用プログラムが端末機内に保存されているのかを確認（Ａ１５０）する。端末機応用プログラムが保存されていないなら、コンテンツサーバー５００へ端末機応用プログラムの伝送を要請（Ａ１５１）するようになる。コンテンツサーバー５００は、発信者１００から端末機応用プログラムの伝送要請を受けて、該当発信者１００に端末機応用プログラムを伝送する（Ａ１５２）。発信者１００は、伝送されてきた端末機応用プログラムを端末機内に保存（Ａ１５３）する。発信者１００の端末機に上記応用プラグラムが既に保存されているか、保存過程が完了したなら、端末機応用プログラムを駆動（Ａ１６０）する。
【００２２】
上記端末機応用プログラムは、ＷＩＰＩ（Wireless  Internet  Platform  for  Interoperability）プラットフォームを支援する端末機で具現されるように設計されたプログラムであって、プログラム駆動時、入力されたプログラムに従って端末機の基本キー値を操縦して計算された作業を行うことができる。本発明において上記応用プログラムは、基本メニューを予め登録し保存しておき、要請に応じて着信者のメニューリストに該当するメニューを出力し、着信者が指定したサービスオプションに応じてプログラム駆動時間の調節及び特定画面への自動接続を実行し、発／着信者情報と、発信者が選択したメニューの固有番号及びコンテンツタイプとを組み合わせて流動ＵＲＬを自己生成する機能を有している。
【００２３】
端末機応用プログラムは、サービスサーバー４００から伝送された着信者のメニューリストと発／着信者情報に基づいてサービスオプション処理を行い、発信者端末機にメニューを構成し出力（Ａ１７０）するようになる。発信者１００が、端末機に出力されたメニューのうち任意のメニューを選択（Ａ１８０）すると、端末機応用プログラムは選択されたメニューの固有番号、コンテンツタイプ、及び発／着信者情報を組み合わせて流動ＵＲＬを自己生成（Ａ１９０）するようになる。
【００２４】
図４は、本発明により、発信者１００がデータ呼を試みてサービスを利用する方式についてのフローチャートである。同図において、着信者２００が該当サービスを登録する過程は図２と同一であるが、コンテンツサーバー５００の機能が拡張されてサービスサーバー４００の機能を代替し移動交換機３００の一部の機能を行うようになる。同図では、全ての着信者２００がサービスの提供登録を終えたという前提の下でサービスのフローを説明した。
【００２５】
発信者１００が、コンテンツ提供者の短縮番号と特定キーを用いて上記コンテンツ提供者の携帯ホームページに接続するか、コンテンツ提供者が伝送したＳＭＳメッセージを通してメッセージに含まれているＵＲＬアドレスに接続する場合、発信者１００はデータ呼を発信（Ｂ１１０）し、移動通信網３００は上記データ呼をパケット網に連結して、着信コンテンツ提供者２００のコンテンツが保存されたコンテンツサーバー５００にサービスを要請（Ｂ１１１）する。コンテンツサーバー５００は、発信者１００の端末機が上記サービスを利用できるのかを確認（Ｂ１１２）し、利用が不可能な時は、発信者１００にサービスの使用が不可であることを通知（Ｂ１１３）し、利用が可能な時は、発信者類型別メニューリストの照会を要請する。
【００２６】
着信者２００が発信者１００のために登録しておいた上記メニューリスト情報を照会（Ｂ１２０）し、図３と同一の方式でページングチャンネルを通して上記メニューリストと発／着信者情報を発信者１００の端末機に伝送する。以後のサービスフローは、図３と同一になされる。
【００２７】
図５は、本発明により、発／着信者情報及び着信者のメニューリストに基づいて発信者１００の端末機上で流動ＵＲＬを自己生成する流れを示したフローチャートである。着信者２００は、コンテンツサーバー５００に接続し、上記サーバーが提供する基本コンテンツメニューのうち希望のメニューを発信者グループによって選択し構成（Ｃ２１０）する。この時、コンテンツサーバー５００に登録されたそれぞれの基本メニューには、メニューの固有番号及びコンテンツタイプがマッピングされて、着信者２００がメニューを選択する場合、上記固有番号及びコンテンツタイプを着信者２００が登録したコンテンツ名及びサービスオプションと共に保存（Ｃ２１１）し、これをサービスサーバー４００に伝送（Ｃ２１２）する。コンテンツ名は、着信者２００が設定した会社名又はサービス名であり得、サービスオプションは着信状態によるサービス実行時期及び発信者の位置情報による自動接続ページの固有番号及び実行有無を表す。
【００２８】
サービスサーバー４００は、コンテンツサーバー５００からメニューリストの伝送を受け保存（Ｃ２１３）する。発信者１００が音声呼を発信（Ｃ１１０）する場合、移動交換機３００は発信者の電話番号（ＭＩＮ）や位置などの付加情報、及び着信者の電話番号（ＭＩＮ）や着信状態などの付加情報を把握（Ｃ１１１）し、サービスサーバー４００に伝送（Ｃ１１２）する。サービスサーバー４００は、発信者類型別に登録されたメニューリストのうち発信者１００に該当するメニューリストを照会し、上記メニューリストに移動交換機３００から伝送された発／着信者情報を追加（Ｃ１２０）して発信者１００の端末機に伝送（Ｃ１２１）する。
【００２９】
発信者１００の端末機応用プログラムは、伝送されたメニューリストのサービスオプションを照会し、上記オプションに従ってサービス画面の出力時間（例えば、着信者が通話中であったり電源が消えている時に出力、又は着信者の状態に関係なく出力）を決定し、自動出力画面（発信者がメニューを選択する場合、メニューに該当するコンテンツの出力を待つ間に出力される画面）の設定有無によって上記画面に対するページに接続して画面出力を準備し、サービスサーバー４００から伝送された着信者２００のメニューの固有番号によってメニューを出力（Ｃ１３０）する。
【００３０】
発信者１００が自身の端末機に出力されたメニューのうち任意のメニューを選択するようになると、上記応用プログラムは、選択されたメニューのページに接続するために流動ＵＲＬを生成するようになる。上記流動ＵＲＬは、応用プログラムに予め設定された発信者の電話番号（ＭＩＮ）とコンテンツのドメイン（例えば、www.contents.com）に、着信者２００の電話番号（ＭＩＮ）、発信者１００が指定したメニューの固有番号、コンテンツタイプ、及び発信者１００の位置情報などを組み合わせて生成（Ｃ１４０）される。本発明においてサービスコンテンツは、コンテンツ提供者の電話番号（ＭＩＮ）によって１次区分されており、メニューの固有番号によって２次区分されている。従って、着信者の電話番号（ＭＩＮ）と発信者が選択したメニューの固有番号が分かれば、発信者１００が指定したメニューのページに接続できる。また、コンテンツのタイプが分かれば、コンテンツの属性を把握できる。例えば、“Ｔ”はＴｅｌｅｐｈｏｎｅの略字で、Ｃ１３０の“電話連結”メニューを選択すると、着信者がサービスオプションに登録した電話番号に音声呼を連結して音声通話を利用することができ、“Ｉ”はＩｎｔｅｒｎａｌの略字で、コンテンツサーバー５００内に存在するコンテンツであり、“Ｗ”はＷａｐの略字で、発信者が該当メニューを選択する時、応用プログラムがＷａｐブラウザの駆動を開始し、コンテンツサーバーに登録された外部のドメインに接続して無線インターネットを利用するコンテンツであり、“Ｓ”はＳｙｎｃｈｒｏｎｉｚａｔｉｏｎの略字で、コンテンツサーバー５００と外部サーバーを連動して提供するコンテンツである。上記組み合わせによって生成された流動ＵＲＬは、発信者の電話番号（ＭＩＮ）と位置情報を含んでいるが、これは、上記情報をＵＲＬに含めることによって特定の発信者または特定位置の発信者へ、着信者により指定されたコンテンツを選択的に提供することで、発信者が、着信者により提供されるオーダーメイド型情報を利用できるようにするためのものである。
【００３１】
図６は、本発明によるサービス利用を機能処理の側面から示した図である。コンテンツサーバーは、利用者の要請を受けてサービス提供が可能な加入者であるかどうかを判断し、未加入者である場合は会員加入の要請を受けて処理し、加入者である場合はコンテンツサーバーに制御を引き渡す役割をする加入者情報Ｄ／Ｂと、加入者情報Ｄ／Ｂを介して正常に接続した加入者が選択したメニューの固有番号、コンテンツタイプ、及びサービスオプションを登録保存するメニューリストＤ／Ｂと、上記選択されたメニューに該当するコンテンツを登録／保存するコンテンツＤ／Ｂと、加入者が設定したメニューリストをサービサーバーに伝送し、発信者の要請に応じてコンテンツＤ／Ｂのコンテンツを発信者に伝送する役割をするデータ送受信部と、データ送受信部を介して発信者から提供された流動ＵＲＬを解析するＵＲＬ解析部と、インターネット網の外部サーバーと連動して外部インターネットコンテンツへの接続を可能にするインターフェース処理部とからなる。
【００３２】
サービスサーバーは、コンテンツサーバーから着信者のメニューリストの伝を受けてメニューリストＤ／Ｂに保存した後、発信者の要請に応じて、メニューリストＤ／Ｂから抽出された情報、及び移動交換機から提供された発／着信者情報を発信者に伝送する役割をするサーバーである。
【００３３】
発信者の無線端末機内に保存される応用プログラムは、サービスサーバーからメッセージの伝送を受け、メッセージ内のコードを分析して画面にメニュー形態で出力するか、発信者によるメニューの入力を受け、メニューに該当するＵＲＬを生成してコンテンツサーバーに接続させ、データ伝送時の自動出力画面を広告やイベントなどに切り替えるなどの役割をするプログラムである。
【００３４】
上記機能を行うサーバー及びプログラムを通して本発明によるサービス利用の流れを次の通り具体的に説明する。
【００３５】
着信者２００は、自身の無線端末機（Ｄ１００）やＰＣ（Ｄ１０１）を用いてサービスの提供登録をしたり自身のメニューリスト及びコンテンツの登録／変更をすることができる。着信者２００がコンテンツサーバー５００の加入者情報Ｄ／Ｂに接続すると、加入者情報Ｄ／Ｂ（Ｄ１１０）は着信者２００を検索し、着信者２００がサービス未加入者である場合は、会員加入処理部（Ｄ１１１）を通して会員加入手続きに沿って会員加入した後、着信者２００の情報を加入者情報Ｄ／Ｂ（Ｄ１１０）に保存し、着信者２００がサービス加入者である場合は、コンテンツサーバー５００の制御部（Ｄ１２１）にその制御権を引き渡し、着信者２００がメニューリストの登録／変更をするよう誘導する。
【００３６】
コンテンツサーバー５００の制御部（Ｄ１２１）は、着信加入者２００が希望するメニューを構成するよう画面設計部（Ｄ１２０）を駆動する。着信者２００は、画面設計部（Ｄ１２０）を介してコンテンツサーバー５００から提供される基本メニューのうち希望のメニュー及びサービスオプションを選択して初期メニュー画面を構成し、上記メニューに該当するコンテンツを製作してコンテンツＤ／Ｂに登録でき、コンテンツＤ／Ｂ（Ｄ１２２）を検索して汎用的なコンテンツを登録することもできる。着信者２００は、発信者別にメニュー画面を製作してコンテンツサーバー５００に登録し、該当発信者が発信した場合、指定されたメニュー画面を提供することができる。これを全て終えれば、制御部（Ｄ１２１）は、着信者２００が構成した発信者類型別のメニューリストをメニューリストＤ／Ｂ（Ｄ１２３）に保存し、データ送受信部（Ｄ１２４）を経てサービスサーバー４００のメニューリスト受信部（Ｄ１３０）に伝送する。
【００３７】
サービスサーバー４００のメニューリスト受信部（Ｄ１３０）は、上記発信者類型別のメニューリストを受け取り、メニューリストＤ／Ｂ（Ｄ１３１）に伝達し保存する。発信者１００が無線端末機（Ｄ１４０）を用いて着信者２００に電話を試み本発明によるサービスを利用することになる場合、サービスサーバーは、メニューリストＤ／Ｂの内で発信者及び着信者の電話番号（ＭＩＮ）を用いて該当するメニューリストを検索した後、メッセージ処理部（Ｄ１３２）に伝送し、上記処理部では移動交換機３００を介して提供された発／着信者の電話番号（ＭＩＮ）などの付加情報を上記メニューリストと組み合わせて、メッセージ伝送部（Ｄ１３３）を介して発信者１００の無線端末機（Ｄ１４０）に伝送する。
【００３８】
発信者の無線端末機（Ｄ１４０）が上記メッセージの伝送を受け取ると、端末機内の応用プログラムを駆動するようになる。メニューリスト処理部（Ｄ１５１）は、メッセージ内のメニュー固有番号の入力を受けて、応用プログラム内に保存された基本メニューとマッピングさせ、メニュー内訳とサービスオプションを画面制御部（Ｄ１５２）に引き渡す。画面制御部（Ｄ１５２）は、メニューリスト処理部（Ｄ１５１）から提供されたサービスオプション事項を実行し、メニュー内訳に合わせて画面を構成し出力する。発信者１００が任意のメニューを選択すると、応用プログラムは、該当キーをＵＲＬ生成部（Ｄ１５３）に引き渡すようになり、上記ＵＲＬ生成部（Ｄ１５３）は該当メニューの固有番号、コンテンツタイプ、及び発／着信者情報を組み合わせてＵＲＬを生成し、生成されたＵＲＬを用いてコンテンツサーバーに接続するようになる。
【００３９】
コンテンツサーバーのＵＲＬ解析部（Ｄ１６０）は、発信者１００から伝送されてきたＵＲＬを解析してコンテンツＤ／Ｂ内のコンテンツを発信者に伝送するか、インターネット網の外部サーバー（Ｄ１７１）と連動して、外部網のコンテンツをインターフェース処理部（Ｄ１６１）を介して接続し発信者に伝送することによって、発信者は多様なコンテンツを利用できるようになる。
【００４０】
図７は、本発明により、発信加入者に選択的に広告を提供する流れを示したフローチャートである。
【００４１】
図２に示された通り、発信者１００や着信者２００が該当サービスを登録する過程と、発信者１００が呼を発信して着信者２００のメニューリストの伝送を受ける流れは同一である。
【００４２】
発信者１００が着信者２００のメニューリストの伝送を受けるようになると、発信者端末機の応用プログラムを駆動（Ｅ１６０）し、該当するメニューを出力（Ｅ１７０）するようになるが、端末機応用プログラムは、上記メニューを出力した直後、自己内蔵された発信者の番号（ＭＩＮ）とサービスオプションに含まれた広告メニューの固有番号を組み合わせて生成された流動ＵＲＬを通してコンテンツサーバー５００に自動接続して上記広告ページを要請し（Ｅ１７１）、コンテンツサーバー５００は要請に応じて該当コンテンツを発信者１００に伝送（Ｅ１７２）する。発信者１００は、コンテンツサーバー５００から伝送されてきた上記コンテンツを保存（Ｅ１７３）する。発信者１００が任意のメニューを選択（Ｅ１８０）し、コンテンツを要請（Ｅ１８１）する場合、上記保存された広告ページを自動出力（Ｅ１８２）して発信者１００に提供することができる。上記広告画面は、発信者１００が要請したコンテンツが伝送されて出力（Ｅ１８３及びＥ１９０）されると同時に消え、発信者１００の無線インターネット利用終了時に再出力されることもある。また、発信者１００の位置情報を広告ページのＵＲＬに含めることで、発信者の位置によって選択的な広告画面を提供することができる。
【００４３】
図８は、図２、図３、図５及び図７に示された音声呼を通したサービスフローを示した図で、発信者１００がサービスに加入して利用する側面から説明した一実施例を示した図である。
【００４４】
発信者１００がソウル（発信者位置情報コード；１００）でサービスの提供登録を終えた特定の映画館に対して音声呼の発信をした場合（Ｆ１００）、上記映画館が登録しておいた初期メニュー画面が出力され（Ｆ１１０）、発信者１００が上記画面を照会した後、“イベント案内”メニューを選択すると、端末機応用プログラムは発信者位置情報コード（１００；ソウル）に基づいて無線インターネットに自動接続された広告画面を出力（Ｆ１２０）する。上記出力された広告画面（Ｆ１２０）は、発信者１００が選択したメニュー画面（Ｆ１３０）に接続される瞬間に消え、データ通信終了時に再出力（Ｆ１４０）することもできる。また、発信者１００が選択した上記“イベント案内”画面（Ｆ１３０）は、着信者が発信者の位置によって登録した位置別のイベント案内ページのうち発信者の位置に該当するページを出力するようになる。
【図面の簡単な説明】
【００４５】
【図１】本発明による移動通信網とサービスサーバー及びコンテンツサーバーとの接続例を示した図である。
【図２】本発明により、発信者１００が音声呼を試みてサービスを利用する方式についてのフローチャートである。
【図３】本発明により、発信者１００が音声呼を試みてサービスを利用する方式についてのフローチャートである。
【図４】本発明により、発信者１００がデータ呼を試みてサービスを利用する方式についてのフローチャートである。
【図５】本発明により、発／着信者情報及び着信者のメニューリストに基づいて発信者１００の端末機上で流動ＵＲＬを自己生成する流れを示したフローチャートである。
【図６】本発明によるサービス利用を機能処理の側面から示した図である。
【図７】本発明により、発信加入者に選択的に広告を提供する流れを示したフローチャートである。
【図８】図２、図３、図５及び図７に示された音声呼を通したサービスフローを、発信者１００がサービスに加入して利用する側面から説明した一実施例を示した図である。
【図１】
2009527177.tif 000003
【図２】
2009527177.tif 000004
【図３】
2009527177.tif 000005
【図４】
2009527177.tif 000006
【図５】
2009527177.tif 000007
【図６】
2009527177.tif 000008
【図７】
2009527177.tif 000009
【図８】
2009527177.tif 000010
【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
インターネットを介してコンテンツサーバー及びサービスサーバーに連結されている移動通信網内の発信者に対するコンテンツの伝送のためのデータ通信方法において、
着信者がサービスを要請し、かつ前記着信者が、発信者に提供する前記コンテンツのためのメニューリストを前記コンテンツサーバーに、登録し保存する段階；
前記発信者が前記着信者に音声呼を発信するとき、発信者端末機が前記サービスを利用できるかどうか、及び着信者が前記サービスを登録しているかどうかを、前記移動通信網内の移動交換機が判別する段階；
前記発信者が前記サービスを利用でき、かつ前記着信者がサービスを登録している場合、前記移動交換機が発／着信者情報を前記サービスサーバーに伝送する段階；
前記サービスサーバーが、前記メニューリストと前記発／着信者情報とを前記発信者に伝送する段階；
前記メニューリストと前記発／着信者情報の提供とを受けた後、前記発信者端末機内の応用プログラムが、前記発信者に対してメニューを出力しかつ前記メニューリストに登録されたサービスオプションを処理するために、実行される段階；
前記発信者が出力されたメニューのうちの一つを選択し、かつ前記コンテンツサーバーに選択された一つの伝送を要請する段階；及び
前記コンテンツサーバーが、要請されたメニューの前記コンテンツを前記発信者に伝送する段階；
を含むことを特徴とするデータ通信方法。
【請求項２】
インターネットを介してコンテンツサーバー及びサービスサーバーに連結されている移動通信網内の発信者に対するコンテンツの伝送のためのデータ通信方法において、
着信者がサービスを要請し、かつ前記着信者が、発信者に提供されるコンテンツのためのメニューリストを、前記コンテンツサーバーに、登録し保存する段階；
前記発信者が、前記コンテンツサーバーに対して前記サービスを要請するために、前記着信者にデータ呼を発信する段階；
前記コンテンツサーバーが、発信者端末機が前記サービスを利用できるかどうかを、判断する段階；
前記コンテンツサーバーが、前記コンテンツサーバーに登録された、前記メニューリストと発／着信者情報とを、発信者に伝送する段階；
前記メニューリストと前記発／着信者情報とを受けた後、前記発信者端末機内の応用プログラムが、前記発信者に対してメニューを出力しかつ前記メニューリストに登録されたサービスオプションを処理するために、実行される段階；
発信者が前記出力されたメニューのうちの一つを選択し、かつ前記コンテンツサーバーに選択された一つの伝送を要請する段階；及び
前記コンテンツサーバーが、要請されたメニューの前記コンテンツを前記発信者に伝送する段階；
を含むことを特徴とするデータ通信方法。
【請求項３】
前記メニューリストは、前記着信者から前記発信者に提供される固有番号及び前記コンテンツメニューのコンテンツタイプ、及びサービスオプションを含むことを特徴とする請求項１又は２に記載のデータ通信方法。
【請求項４】
前記発／着信者情報は、前記移動通信網から提供される、発信者の電話番号及び位置、並びに着信者の電話番号及び着信状態を含むことを特徴とする請求項１に記載のデータ通信方法。
【請求項５】
前記発／着信者情報は、前記着信者が前記コンテンツサーバーに登録した発信者の電話番号を含むことを特徴とする請求項２に記載のデータ通信方法。
【請求項６】
前記発信者が前記メニューリストからメニューを選択した場合、固有番号、前記選択されたメニューのコンテンツタイプ、及び前記発／着信者情報の組み合わせから、前記発信者端末機内で流動ＵＲＬが生成される段階；及び
生成されたＵＲＬが、前記ＵＲＬに対応する前記コンテンツを要請するために、前記コンテンツサーバーに伝送される段階；
を含むことを特徴とする請求項１又は２に記載のデータ通信方法。
【請求項７】
前記流動ＵＲＬは、前記発信者及び前記着信者の、電話番号と位置情報とを含むことを特徴とする請求項６に記載の通信データ方法。
【請求項８】
前記メニューリスト及び前記発／着信者情報を前記発信者に伝送した後に、
前記発信者端末機内で、前記メニューリスト及び前記発／着信者情報に基づいて特定メニューに対する流動ＵＲＬが、自動生成され、かつ前記コンテンツサーバーに伝送される段階；
前記ＵＲＬに対応する前記コンテンツが、前記コンテンツサーバーから前記発信者端末機に伝送される段階；及び
伝送されたコンテンツは、前記発信者端末機で特定の時刻に自動出力される段階；
を含むことを特徴とする請求項１又は２に記載のデータ通信方法。
【請求項９】
インターネットを介してコンテンツサーバー及びサービスサーバーに連結されている移動通信網内で発信者に対するコンテンツの伝送のためのデータ通信システムにおいて、
前記コンテンツサーバーは：
着信者のサービス登録を管理する加入者情報Ｄ／Ｂ；
前記着信者から前記発信者に提供する、固有番号、コンテンツタイプ及びメニューのサービスオプションを、登録及び保存するメニューリストＤ／Ｂ；
前記メニューに対応する前記コンテンツを登録及び保存するコンテンツＤ／Ｂ；
前期発信者の要請に応じて、前記コンテンツＤ／Ｂに保存されている前記コンテンツを発信者に伝送するデータ送受信部；
前記データ送受信部を介して前記発信者より伝送された流動ＵＲＬを解析するＵＲＬ解析部；及び
インターネットとインターフェーシングするためのインターフェース処理部；を含み、
前記サービスサーバーは：
前記コンテンツサーバーから伝送されたメニューリストを保存しているメニューリストＤ／Ｂ；及び
前記メニューリストＤ／Ｂに保存されている前記メニューリスト、及び前記移動通信網から提供された発／着信者情報を前記発信者端末機に伝送するメッセージ伝送部；を含み、
前記発信者端末機は、前記サービスサーバーから情報を受け、画面にメニューを出力し、前記発信者によるメニューの入力に応じて流動ＵＲＬを生成し、かつ前記コンテンツサーバーにこれを伝送する応用プログラムを含むこと
を特徴とするデータ通信システム。
【国際調査報告】
2009527177.tif 000011
2009527177.tif 000012
2009527177.tif 000013